(57)【要約】  【課題】食品を貯蔵するための容積を十分確保することができる冷蔵庫を提供する。  【解決手段】左右仕切り壁３１によって左右に区画された貯蔵領域の右側領域において、冷却器４４を野菜室３５とその下方に形成された冷凍室３６との両室にまたがる背面に、野菜室３５と冷凍室３６の間を仕切る右上下仕切り壁下３８を貫通して配置することにより、食品を貯蔵するための容積を十分確保することができるとともに、使い勝手を向上した冷蔵庫を提供することができるものである。【選択図】図２
2006250422.tif 000002
【特許請求の範囲】
【請求項１】
冷蔵庫本体と、前記冷蔵庫本体を上下方向略全高に渡って左右方向に区分した右区画と左区画とを有し、前記右側区画の上部に設けられた冷蔵食品等を貯蔵する冷蔵室と、前記右区画の下部に設けられた冷凍食品等を貯蔵する冷凍室と、前記冷蔵室と前記冷凍室の間に設けられた野菜類を貯蔵する野菜室と、前記冷蔵室と前記野菜室を仕切る右上下仕切り壁上と、前記野菜室と前記冷凍室を仕切る右上下仕切り壁下と、前記左区画の上部に設けられたボトル等を貯蔵するボトル室と、前記左区画の下部に設けられた低温室と、前記ボトル室と前記低温室との間に設けられた製氷室と、前記ボトル室と前記製氷室を仕切る左上下仕切り壁上と、前記製氷室と前記低温室とを仕切る左上下仕切り壁下とを備え、前記左区画の各室を塞ぐ扉がすべて引出し扉で構成されるとともに、冷却器が右上下仕切り壁下を貫通し前記野菜室と前記冷凍室の両背面に設置されたことを特徴とする冷蔵庫。
【請求項２】
前記低温室を冷凍食品等を貯蔵する第二の冷凍室としたことを特徴とする請求項１に記載の冷蔵庫。
【請求項３】
前記低温室を肉や魚を貯蔵する特定低温室としたことを特徴とする請求項１に記載の冷蔵庫。
【請求項４】
前記低温室を冷凍から冷蔵までの温度範囲で切替え可能な切替え室としたことを特徴とする請求項１に記載の冷蔵庫。
【請求項５】
前記ボトル室から前記冷蔵室の背面を経由し、さらに前記右上下仕切り壁上を貫通し前記野菜室を冷却してから前記冷却器に帰還する風路を備えた事を特徴とする請求項１から４のいずれか一項に記載の冷蔵庫。
【請求項６】
前記野菜室の扉を回転式機構としたことを特徴とする請求項１から５のいずれか一項に記載の冷蔵庫。
【発明の詳細な説明】
【技術分野】
【０００１】
本発明は、使い勝手を向上した冷蔵庫に関するものである。
【背景技術】
【０００２】
従来、左右に分割された貯蔵室を区画している冷蔵庫において、特許文献１に参照するように、片側が上下引出し扉で構成されているものが提案されている。
【０００３】
図５、図６は特許文献１に記載された従来の冷蔵庫を示すものである。図５は従来の冷蔵庫の正面図、図６は従来の冷蔵庫の風路構成を示す図である。
【０００４】
図５、図６に示すように、冷蔵庫本体１と、上下方向略全高に渡って左右方向に分断する左右仕切り壁２と、左右仕切り壁２によって左右に分断された右側区画の上部に設けられた冷蔵室３と、同じく右側区画の下部に設けられた冷凍室４と、同じく右側区画で冷蔵室３と冷凍室４の間に設けられた野菜室５と、左右仕切り壁２によって左右に分断された左側区画の上部に設けられ引出し式扉で塞がれたボトル室６と、同じく左側区画の下部に設けられ引出し式扉で塞がれた製氷室７と、冷蔵室３と野菜室５とを仕切る右上下仕切り壁上８と、野菜室５と冷凍室４とを仕切る右上下仕切り壁下９と、ボトル室６と製氷室７とを仕切る左上下仕切り壁１０と、冷蔵室３と野菜室５とボトル室６を冷却する冷気を生成するための冷蔵室冷却器１１と、冷蔵室冷却器１１で生成された冷気を循環するための冷蔵室ファン１２と、冷蔵室３へ冷気を吐出する冷蔵室用送風路１３と、右上下仕切り壁上８を貫通し冷蔵室３と野菜室５を連通する冷蔵室野菜室連通風路１４と、右上下仕切り壁上８を貫通し野菜室５からの冷気を冷蔵室冷却器１１へ戻すための野菜室用帰還風路１５と、左右仕切り壁２を貫通しボトル室６に冷気を吐出するためのボトル室用送風路１６と、左右仕切り壁２を貫通しボトル室６からの冷気を冷蔵室冷却器１１へ戻すためのボトル室用帰還風路１７と、冷凍室４と製氷室７を冷却する冷気を生成するための冷凍室冷却器１８と、冷凍室冷却器１８で生成された冷気を循環するための冷凍室ファン１９と、冷凍室４へ冷気を吐出するための冷凍室用送風路２０と、冷凍室４からの冷気を冷凍室冷却器１８へ戻すための冷凍室用帰還風路２１と、左右仕切り壁２を貫通し製氷室７へ冷気を吐出するための製氷室用送風路２２と、左右仕切り壁２を貫通し製氷室７からの冷気を冷凍室冷却器１８へ戻すための製氷室用帰還風路２３から構成される。
【特許文献１】特開２００１−２６３９１３号公報
【発明の開示】
【発明が解決しようとする課題】
【０００５】
しかしながら、上記従来の構成では複数個存在する冷却器、及び各々の冷却器で生成した冷気を循環させるためのファンを設置するための容積を冷却器の個数分確保しなければならないので、食品を貯蔵するための容積が減少するという課題を有していた。
【０００６】
本発明は、上記従来の課題を解決するもので食品を貯蔵するための容積を十分確保できる冷蔵庫を提供する事を目的とする。
【課題を解決するための手段】
【０００７】
上記従来の課題を解決するために、本発明の冷蔵庫は、冷蔵庫本体と、前記冷蔵庫本体を上下方向略全高に渡って左右方向に区分した右区画と左区画とを有し、前記右側区画の上部に設けられた冷蔵食品等を貯蔵する冷蔵室と、前記右区画の下部に設けられた冷凍食品等を貯蔵する冷凍室と、前記冷蔵室と前記冷凍室の間に設けられた野菜類を貯蔵する野菜室と、前記冷蔵室と前記野菜室を仕切る右上下仕切り壁上と、前記野菜室と前記冷凍室を仕切る右上下仕切り壁下と、前記左区画の上部に設けられたボトル等を貯蔵するボトル室と、前記左区画の下部に設けられた低温室と、前記ボトル室と前記低温室との間に設けられた製氷室と、前記ボトル室と前記製氷室を仕切る左上下仕切り壁上と、前記製氷室と前記低温室とを仕切る左上下仕切り壁下とを備え、前記左区画の各室を塞ぐ扉がすべて引出し扉で構成されるとともに、冷却器が右上下仕切り壁下を貫通し前記野菜室と前記冷凍室の両背面に設置したものである。
【０００８】
これによって、１つの冷却器で、使い勝手を高めたレイアウトとした冷蔵室、野菜室、冷凍室、ボトル室、製氷室、および低温室を冷却する事ができ、さらに冷却器が右上下仕切り壁下を貫通し野菜室と冷凍室の両背面に設置する事により冷却器を薄型にできるので食品を貯蔵するための容積を十分確保することが可能となる。また、風路構成が簡略化され風路が占める容積を貯蔵のための容積に使う事ができ、食品を貯蔵するための容積を十分確保することが可能となる。
【発明の効果】
【０００９】
本発明の冷蔵庫は、使い勝手を高めたレイアウトとするとともに、右上下仕切り壁下を貫通し野菜室と冷凍室の両背面に冷却器を設置する事により冷却器を薄型にできるので、容積効率を高めることができる。
【発明を実施するための最良の形態】
【００１０】
請求項１に記載の発明は、冷蔵庫本体と、前記冷蔵庫本体を上下方向略全高に渡って左右方向に区分した右区画と左区画とを有し、前記右側区画の上部に設けられた冷蔵食品等を貯蔵する冷蔵室と、前記右区画の下部に設けられた冷凍食品等を貯蔵する冷凍室と、前記冷蔵室と前記冷凍室の間に設けられた野菜類を貯蔵する野菜室と、前記冷蔵室と前記野菜室を仕切る右上下仕切り壁上と、前記野菜室と前記冷凍室を仕切る右上下仕切り壁下と、前記左区画の上部に設けられたボトル等を貯蔵するボトル室と、前記左区画の下部に設けられた低温室と、前記ボトル室と前記低温室との間に設けられた製氷室と、前記ボトル室と前記製氷室を仕切る左上下仕切り壁上と、前記製氷室と前記低温室とを仕切る左上下仕切り壁下とを備え、前記左区画の各室を塞ぐ扉がすべて引出し扉で構成されるとともに、冷却器が右上下仕切り壁下を貫通し前記野菜室と前記冷凍室の両背面に設置したものであり、１つの冷却器で、使い勝手を高めたレイアウトとした冷蔵室、野菜室、冷凍室、ボトル室、製氷室、および低温室を冷却する事ができ、さらに冷却器が右上下仕切り壁下を貫通し野菜室と冷凍室の両背面に設置する事により冷却器を薄型にできるので食品を貯蔵するための容積を十分確保することが可能となる。また、風路構成が簡略化され風路が占める容積を貯蔵のための容積に使う事ができ、食品を貯蔵するための容積を十分確保することができる。
【００１１】
請求項２に記載の発明は、請求項１に記載の発明において、前記低温室を冷凍食品等を貯蔵する第二の冷凍室としたものであり、冷凍室の容量を十分確保することができる。
【００１２】
請求項３に記載の発明は、請求項１に記載の発明において、前記低温室を肉や魚を貯蔵する特定低温室としたものであり、使い勝手をさらに高めることができる。
【００１３】
請求項４に記載の発明は、請求項１に記載の発明において、前記低温室を冷凍から冷蔵までの温度範囲で切替え可能な切替え室としたものであり、さらに使い勝手を高めることができる。
【００１４】
請求項５に記載の発明は、請求項１から４のいずれか一項に記載の発明において、前記ボトル室から前記冷蔵室の背面を経由し、さらに前記右上下仕切り壁上を貫通し前記野菜室を冷却してから前記冷却器に帰還する風路を備えたものであり、風路構成が簡略化され風路が占める容積を貯蔵のための容積に使う事ができ、食品を貯蔵するための容積を十分確保することができ、お客様の使い手を向上できる。
【００１５】
請求項６に記載の発明は、請求項１から５のいずれか一項に記載の発明において、前記野菜室の扉を回転式機構としたものであり、野菜室の野菜を取り出しやすくすることができ、お客様の使い勝手を向上させることができる。
【００１６】
以下、本発明の実施の形態について、図面を参照しながら説明する。なお、この実施の形態によってこの発明が限定されるものではない。
【００１７】
（実施の形態１）
以下、本発明の実施の形態１を図１から図４に基づいて説明する。図１は、本発明の実施の形態１による冷蔵庫の正面図である。図２は、本発明の実施の形態１による冷蔵庫の送風風路を示す図である。図３は、本発明の実施の形態１による冷蔵庫の帰還風路を示す図である。図４は、本発明の実施の形態１による冷蔵庫の回転支持部を示す構成図である。
【００１８】
図１から図４に示すように、３０は冷蔵庫本体であり、冷蔵庫本体３０は上下方向略全高に渡って左右方向に区分する左右仕切り壁３１によって分割された右区画３２と左区画３３とを有している。右区画３２には上部より順に、冷蔵室３４、野菜室３５、冷凍室３６が配置されている。冷蔵室３４と野菜室３５は右上下仕切り壁上３７によって仕切られ、野菜室３５と冷凍室３６は右上下仕切り壁下３８によって仕切られている。左区画３３には上部より順に、ボトル室３９、製氷室４０、冷凍から冷蔵までの温度範囲で切替え可能な切替え室４１が配置されている。ボトル室３９と製氷室４０は左上下仕切り壁上４２によって仕切られ、製氷室４０と切替え室４１は左上下仕切り壁下４３によって仕切られている。ボトル室３９と製氷室４０、及び切替え室４１は各々引出し式扉で塞がれている。
【００１９】
４４は冷却器で、右上下仕切り壁下３８を貫通し野菜室３５と冷凍室３６の背面に設置されている。４５は冷却器４４で生成された冷気を循環させるファンである。冷却器４４とファン４５は、冷蔵室用送風路４６、ボトル室用送風路４７、製氷室用送風路４８、切替え室用送風路４９及び冷凍室用送風路５０と連通している。
【００２０】
５１はボトル室３９と野菜室３５を連通するボトル室用帰還風路で、左右仕切り壁３１を貫通し冷蔵室３４の背面を通って更に右上下仕切り壁上３７を貫通し野菜室３５につながっている。５２は製氷室用帰還風路で、途中に野菜室用帰還孔５３を有し、切換え室用帰還風路５４と合流して冷却器４４へ通じている。５５は冷蔵室用帰還風路で途中に冷凍室用帰還孔５６を有し冷却器４４へ通じている。
【００２１】
５７は回転式機構とした野菜室用扉である。５８は回転支持部上で、５９は回転支持部下である。
【００２２】
以上のように構成された冷蔵庫について、以下その動作について説明する。
【００２３】
冷却器４４で生成された冷気はファン４５により冷蔵室用送風路４６、ボトル室用送風路４７、製氷室用送風路４８、切替え室用送風路４９及び冷凍室用送風路５０に送風されて各室が所定の温度まで冷却される。そして、左区画３３には上部より順に、ボトル室３９、製氷室４０、切替え室４１が配置されているので、各貯蔵食品の形態に適した保存が可能となる。また、製氷室４０が使いやすい中段に配置されているので氷の使い勝手が向上する。
【００２４】
さらに、冷却器４４は、右上下仕切り壁下３８を貫通し野菜室３５と冷凍室３６の背面に設置することにより、冷却器４４を薄型にできるので食品を貯蔵するための容積を十分確保することが可能となる。
【００２５】
また、野菜室３５はファン４５から送風された冷気によって冷却されるのではなく、ボトル室用帰還風路５１を通じてボトル室３９を冷却した冷気によって冷却される。そして、ボトル室３９を除く各室の冷気は、製氷室用帰還風路５２、野菜室用帰還孔５３、切換え室用帰還風路５４、冷蔵室用帰還風路５５、冷凍室用帰還孔５６をへて再び冷却器４４に戻るので、風路構成が簡略化され風路が占める容積を貯蔵のための容積に使う事ができ、食品を貯蔵するための容積を十分確保することができる。
【００２６】
また、野菜室用扉５７は回転式機構としているので、野菜室の野菜を取り出しやすくすることができ、使い勝手を向上させることができる。
【００２７】
なお、本実施の形態では、左区画３３の最下段の引出し式貯蔵室を、冷凍から冷蔵までの温度範囲で切替え可能な切替え室４１で説明したが、冷凍食品等を貯蔵する第二の冷凍室としてもよい。この場合、冷凍室の容量を十分確保することができ、使い勝手を向上することができる。
【００２８】
また、左区画３３の最下段の引出し式貯蔵室を、肉や魚を貯蔵する特定低温室（０℃から−３℃）としてもよい。この場合、肉や魚等の生鮮食品の保存容量を十分確保することができ、使い勝手を向上することができる。
【産業上の利用可能性】
【００２９】
以上のように、本発明にかかる冷蔵庫は、冷却器を野菜室と冷凍室の両背面に、野菜室と冷凍室の仕切り壁を貫通して配置する事により、食品を貯蔵するための容積を十分確保することができると共に、お客様の使い勝手を向上させることができるので、冷凍機器全般の冷却方法の用途にも適用できる。
【図面の簡単な説明】
【００３０】
【図１】本発明の実施の形態１における冷蔵庫の正面図
【図２】本発明の実施の形態１における冷蔵庫の送風風路を示す図
【図３】本発明の実施の形態１における冷蔵庫の帰還風路を示す図
【図４】本発明の実施の形態１における冷蔵庫の回転支持部を示す構成図
【図５】従来の冷蔵庫の正面図
【図６】従来の冷蔵庫の風路を示す図
【符号の説明】
【００３１】
３０  冷蔵庫本体
３１  左右仕切り壁
３２  右区画
３３  左区画
３４  冷蔵室
３５  野菜室
３６  冷凍室
３７  右上下仕切り壁上
３８  右上下仕切り壁下
３９  ボトル室
４０  製氷室
４１  切替え室
４２  左上下仕切り壁上
４３  左上下仕切り壁下
４４  冷却器
５１  ボトル室用帰還風路
５７  野菜室用扉
【図１】
2006250422.tif 000003
【図２】
2006250422.tif 000004
【図３】
2006250422.tif 000005
【図４】
2006250422.tif 000006
【図５】
2006250422.tif 000007
【図６】
2006250422.tif 000008